【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
検出したブレに対応するブレ検出情報を出力するブレ検出部と、  第１の範囲内および前記第１の範囲外において駆動され、前記ブレ検出情報に基づいて撮影像の像ブレを補正するブレ補正光学系と、  前記ブレ補正光学系を駆動する駆動部とを備えるカメラシステムであって、  前記駆動部は、撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステム。
【請求項２】
請求項１に記載されたカメラシステムであって、  前記駆動部は、撮影前に、前記ブレ補正光学系が前記第１の範囲の内にあるとき、前記ブレ補正光学系の位置を保持することを特徴とするカメラシステム。
【請求項３】
請求項１又は２に記載されたカメラシステムであって、  前記駆動部は、撮影後に、前記ブレ補正光学系の中心を前記ブレ補正光学系の駆動中心まで駆動することを特徴とするカメラシステム。
【請求項４】
請求項１から請求項３までの何れか１項に記載されたカメラシステムであって、  前記第１の範囲は、前記ブレ補正光学系の駆動限界範囲よりも十分に離れた範囲であることを特徴とするカメラシステム。
【請求項５】
請求項１から請求項４までの何れか１項に記載されたカメラシステムであって、  前記駆動部は、二駒以上の連続撮影をする連続撮影モードの二駒目以降の撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステム。
【請求項６】
請求項１から請求項５までの何れか１項に記載されたカメラシステムであって、  前記駆動部は、一駒づつの撮影をする一駒撮影モードの一駒目の撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステム。
【請求項７】
請求項１から請求項６までの何れか１項に記載されたカメラシステムであって、  前記駆動部は、撮影前に前記ブレ補正光学系が停止している場合、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステム。
【請求項８】
請求項１から請求項７までの何れか１項に記載されたカメラシステムであって、前記ブレ補正光学系の駆動中心は、撮影光学系全体の光軸の位置であることを特徴とするカメラシステム。
【請求項９】
ブレを検出し、ブレ検出情報を出力するブレ検出部と、  前記ブレ検出情報に基づいて、撮影像の像ブレを補正するブレ補正光学系と、  前記ブレ補正光学系を第１の範囲で駆動する駆動部と、  を備えるブレ補正機能付きカメラシステムであって、  第１の撮影と第２の撮影とを連写する際に前記第１の撮影と前記第２の撮影との間に、前記ブレ補正光学系が前記第１の範囲の内側に設定された第２の範囲の内に無い場合に、前記駆動部が前記ブレ補正光学系を前記第２の範囲まで駆動するように制御する制御部を有すること、  を特徴とするブレ補正機能付きカメラシステム。
【請求項１０】
請求項９に記載のブレ補正機能付きカメラシステムにおいて、  前記連写する際に前記第１の撮影と前記第２の撮影との間に、前記ブレ補正光学系が前記第２の範囲にある場合に、前記制御部は前記ブレ補正光学系の位置を保持すること、  を特徴とするブレ補正機能付きカメラシステム。
【請求項１１】
請求項９又は請求項１０に記載のブレ補正機能付きカメラシステムにおいて、  前記連写する際に前記第１の撮影に先立って、前記ブレ補正光学系の中心と前記ブレ補正光学系を含む撮影光学系の光学系の光軸とが一致するように前記駆動部が前記ブレ補正光学系を駆動すること、  を特徴とするブレ補正機能付きカメラシステム。
【請求項１２】
請求項９から請求項１１のいずれか１項に記載のブレ補正機能付きカメラシステムにおいて、  前記第２の範囲は、前記ブレ補正光学系が停止している位置から前記ブレ補正光学系の中心を、前記ブレ補正光学系を含む撮影光学系全体の光軸まで駆動させる移動量よりも小さい移動となるように設定された範囲であること、  を特徴とするブレ補正機能付きカメラシステム。
【手続補正２】
【補正対象書類名】明細書
【補正対象項目名】０００８
【補正方法】変更
【補正の内容】
【０００８】  前記課題を解決するために、請求項１の発明は、検出したブレに対応するブレ検出情報を出力するブレ検出部と、第１の範囲内および前記第１の範囲外において駆動され、前記ブレ検出情報に基づいて撮影像の像ブレを補正するブレ補正光学系と、前記ブレ補正光学系を駆動する駆動部とを備えるカメラシステムであって、前記駆動部は、撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステムである。  請求項２の発明は、請求項１に記載されたカメラシステムであって、前記駆動部は、撮影前に、前記ブレ補正光学系が前記第１の範囲の内にあるとき、前記ブレ補正光学系の位置を保持することを特徴とするカメラシステムである。  請求項３の発明は、請求項１又は２に記載されたカメラシステムであって、前記駆動部は、撮影後に、前記ブレ補正光学系の中心を前記ブレ補正光学系の駆動中心まで駆動することを特徴とするカメラシステムである。  請求項４の発明は、請求項１から請求項３までの何れか１項に記載されたカメラシステムであって、前記第１の範囲は、前記ブレ補正光学系の駆動限界範囲よりも十分に離れた範囲であることを特徴とするカメラシステムである。  請求項５の発明は、請求項１から請求項４までの何れか１項に記載されたカメラシステムであって、前記駆動部は、二駒以上の連続撮影をする連続撮影モードの二駒目以降の撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステムである。  請求項６の発明は、請求項１から請求項５までの何れか１項に記載されたカメラシステムであって、前記駆動部は、一駒づつの撮影をする一駒撮影モードの一駒目の撮影前に、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステムである。  請求項７の発明は、請求項１から請求項６までの何れか１項に記載されたカメラシステムであって、前記駆動部は、撮影前に前記ブレ補正光学系が停止している場合、前記ブレ補正光学系が前記第１の範囲外にあるとき、前記ブレ補正光学系の中心を前記ブレ補正光学系の駆動中心まで駆動するときの駆動量よりも少ない駆動量で、前記ブレ補正光学系を前記第１の範囲内まで駆動することを特徴とするカメラシステムである。  請求項８の発明は、請求項１から請求項７までの何れか１項に記載されたカメラシステムであって、前記ブレ補正光学系の駆動中心は、撮影光学系全体の光軸の位置であることを特徴とするカメラシステムである。 請求項９の発明は、ブレを検出し、ブレ検出情報を出力するブレ検出部と、前記ブレ検出情報に基づいて、撮影像の像ブレを補正するブレ補正光学系と、前記ブレ補正光学系を第１の範囲で駆動する駆���部と、を備えるブレ補正機能付きカメラシステムであって、第１の撮影と第２の撮影とを連写する際に前記第１の撮影と前記第２の撮影との間に、前記ブレ補正光学系が前記第１の範囲の内側に設定された第２の範囲の内に無い場合に、前記駆動部が前記ブレ補正光学系を前記第２の範囲まで駆動するように制御する制御部を有すること、を特徴とするブレ補正機能付きカメラシステムである。 請求項１０の発明は、請求項９に記載のブレ補正機能付きカメラシステムにおいて、前記連写する際に前記第１の撮影と前記第２の撮影との間に、前記ブレ補正光学系が前記第２の範囲にある場合に、前記制御部は前記ブレ補正光学系の位置を保持すること、を特徴とするブレ補正機能付きカメラシステムである。 請求項１１の発明は、請求項９又は請求項１０に記載のブレ補正機能付きカメラシステムにおいて、前記連写する際に前記第１の撮影に先立って、前記ブレ補正光学系の中心と前記ブレ補正光学系を含む撮影光学系の光学系の光軸とが一致するように前記駆動部が前記ブレ補正光学系を駆動すること、を特徴とするブレ補正機能付きカメラシステムである。 請求項１２の発明は、請求項９から請求項１１のいずれか１項に記載のブレ補正機能付きカメラシステムにおいて、前記第２の範囲は、前記ブレ補正光学系が停止している位置から前記ブレ補正光学系の中心を、前記ブレ補正光学系を含む撮影光学系全体の光軸まで駆動させる移動量よりも小さい移動となるように設定された範囲であること、を特徴とするブレ補正機能付きカメラシステムである。